(57)【要約】【課題】大地震の際の住人閉じ込めを防止し得るドア構造体を提供すること。【解決手段】ドア本体１の上端に開扉方向Ｘにおいて水平方向上向きに傾斜する上壁３を設け、それに対応してドア上枠１１にも傾斜面１２を設ける。更に、ドア本体１の下壁には、ドア下枠と接するローラなどの回転部材を設ける。これにより、地震によってドア枠１０が歪んだ場合、ドア枠１０がドア本体１の上壁３を押す結果、ドア本体１に開扉方向Ｘの力が作用する。下壁の回転部材は開扉動作を容易にする。【選択図】図２
2006152793.tif 000002
【特許請求の範囲】
【請求項１】
ドア枠と、該ドア枠に対して回動可能に取り付けられたドア本体とを備え、建造物に設置され得るドア構造体であって、
前記ドア枠の歪みによって前記ドア本体に開扉方向に力を作用させる機構を設けたことを特徴とするドア構造体。
【請求項２】
前記ドア本体が、内面と、外面と、前記開扉方向において水平方向上向きに前記内面から前記外面まで直線的に傾斜する平面となされた上壁とを有し、
前記ドア枠が、前記ドア本体の前記上壁に対向する上枠と下枠とを有し、
前記上枠が、前記ドア本体の閉扉時に前記上壁と平行になる傾斜面を有し、
前記機構が前記上壁と前記傾斜面とからなる
ことを特徴とする、請求項１に記載のドア構造体。
【請求項３】
前記ドア本体が、前記上壁に対向する下壁の適宜の位置に取り付けられ且つ前記ドア本体の閉扉時に前記ドア下枠と接触する回転部材を更に備えることを特徴とする、請求項２に記載のドア構造体。
【請求項４】
前記下枠が、前記開扉方向において水平方向下向きに傾斜する面を備えることを特徴とする、請求項３に記載のドア構造体。
【請求項５】
内面と外面と上壁とを備え、ドア枠に回動可能に取り付けられ得るドア本体であって、
前記上壁を、開扉方向において水平方向上向きに前記内面から前記外面まで直線的に傾斜する平面としたことを特徴とするドア本体。
【請求項６】
前記上壁と対向する下壁の適宜の位置に、前記ドア枠の下枠と接触する回転部材を備えることを特徴とする、請求項５に記載のドア本体。
【請求項７】
ドア本体が回動可能に取り付けられ得るドア枠であって、
上枠と下枠とを備え、
前記上枠が、前記ドア本体の開扉方向において水平方向上向きに傾斜する傾斜面を有する
ことを特徴とするドア枠。
【請求項８】
ドア本体が回動可能に取り付けられ得るドア枠の上枠に取り付けられる上枠用取り付け部材であって、
前記上枠に固着される第１の取り付け片及び第２の取り付け片と、これら取り付け片の間を連結する中間片とを備え、
前記中間片が、前記上枠に固着されたときに前記ドア本体の開扉方向において水平方向上向きの傾斜面を有する
ことを特徴とする上枠用取り付け部材。
【請求項９】
ドア枠に回動可能に取り付けられ得るドア本体に取り付けられるドア用取り付け部材であって、
前記ドア本体に固着される第１の取り付け片及び第２の取り付け片と、これら取り付け片の間を連結する中間片とを備え、
前記中間片が、前記ドア本体に固着されたときに前記ドア本体の開扉方向において水平方向上向きの傾斜面を有する
ことを特徴とするドア用取り付け部材。
【請求項１０】
請求項８に記載の上枠用取り付け部材と請求項９に記載のドア用取り付け部材とを備えるドア構造改造部材セット。
【請求項１１】
更に、ドア下枠に載置される傾斜部材を備える、請求項１０に記載のドア改造部材セット。
【請求項１２】
ドア枠と、該ドア枠に回動可能に取り付けられたドア本体とを有するドア構造体を、前記ドア枠の歪みによって前記ドア本体に開扉方向の力を作用させる構造に改造する方法であって、
請求項８に記載の上枠用取り付け部材を前記ドア枠の上枠に取り付ける工程と、
前記ドア本体の上端部を、水平方向に対して傾斜する面を形成するように加工する工程と、
請求項９に記載のドア用取り付け部材を前記ドア本体の上端部に取り付ける工程と、
を備えることを特徴とする改造方法。
【発明の詳細な説明】
【技術分野】
【０００１】
本発明は、大地震発生時に室内に閉じ込められるのを防止するためのドア構造に関し、特に、集団住宅などの建造物に使用するのに適したドア構造体及びドア改造部材に関するものである。
【背景技術】
【０００２】
高層住宅などを含む建造物の玄関ドアなどには、鋼製ドアが一般に広く用いられている。この様な鋼製ドアにあっては、地震によるドア周囲の壁のゆがみや破壊によって、ドア枠やドア開閉用の蝶番ばかりでなく、ドア本体にも変形が発生してドアの開閉が不可能となり、住人が室内に閉じ込められてしまって救済が困難となるという事態が、現実に発生している。
【０００３】
そこで、このような問題を解決すべく、地震によって建造物の壁などに歪みが生じた場合であってもドアの開閉を容易にする技術が提案されている（特許文献１、２参照）。例えば、ドア本体の外周面とドア枠の内周面とに、互いに対向するようにテーパ面と平坦面とを形成することにより、地震によって壁などの破壊や枠の歪みが生じても、これらテーパ面の作用によってドア本体に開扉方向に力を働かせることが提案された。これによれば、建造物の壁などに歪みによってドア本体に開扉方向に力を作用させるので、ドアが施錠されていなければドア本体は自然に開くし、ドアが施錠されていても解錠すればドア本体を開くことができるので、室内に閉じ込められる危険性は低くなると言われる。
【特許文献１】特開平８−３３３９６３号公報
【特許文献２】特開平９−３１７３４０号公報
【発明の開示】
【発明が解決しようとする課題】
【０００４】
しかしながら、上述した従来の技術では、ドアの外周面の一部を室内側に狭まる断面のテーパ面とし、当該外周面の残りの部分を平坦面に形成するとともに、ドア枠の内周面に、ドアの外周面のテーパ面及び平坦面に対応するテーパ面及び平坦面を設けている。すなわち、従来技術では、ドアとドア枠との対向する両方の面に平坦面が設けられている。このため、大地震発生時の壁の破壊状態や蝶番の歪み状態によっては、ドアの平坦面がドア枠の平坦面によって上下方向又は左右方向に強く挟み込まれてしまってドアが開けなくなる可能性があるという問題がある。
【０００５】
また、ドアとドア枠とにテーパ面と平坦面とを設けることは、新築の建造物に対しては容易に適用できても、既存の建造物に対して適用しようとすると、ドアの改造又は交換、ドア枠部分の工事など、多大な費用と時間を要する工事を必要とすることになり、既存の建造物に適用することは実際には困難である。しかしながら、既存の建造物の耐震性を高めると共に大地震発生時に室内に閉じ込められるのを防止する手段を確保することは急務であり、既存の建造物のドア構造に、極めて簡単に且つ低コストで、大地震の発生時においても住人が確実に室外へ脱出できる手段を施すことが要求される。
【０００６】
本発明は、上記の種々の課題に鑑みて提案されたものであり、本発明の一つの目的は、地震発生時に室内に閉じ込められるのを防止するための簡易な構造のドア構造体を提供することである。本発明の他の目的は、既存の建造物におけるドア構造に対しても極めて簡単に且つ低コストで適用することができる、地震発生時に室内に閉じ込められるのを防止するためのドア改造部材を提供することである。
【課題を解決するための手段】
【０００７】
上記の目的を達成するために、請求項１の発明は、
ドア枠と、該ドア枠に対して回動可能に取り付けられたドア本体とを備え、建造物に設置され得るドア構造体であって、
前記ドア枠の歪みによって前記ドア本体に開扉方向に力を作用させる機構を設けたことを特徴とするドア構造体、
を提供する。
【０００８】
請求項２の発明は、
前記ドア本体が、内面と、外面と、前記開扉方向において水平方向上向きに前記内面から前記外面まで直線的に傾斜する平面となされた上壁とを有し、
前記ドア枠が、前記ドア本体の前記上壁に対向する上枠と下枠とを有し、
前記上枠が、前記ドア本体の閉扉時に前記上壁と平行になる傾斜面を有し、
前記機構が前記上壁と前記傾斜面とからなる
ことを特徴とする、請求項１に記載のドア構造体、
を提供する。
【０００９】
請求項３の発明は、前記ドア本体が、前記上壁に対向する下壁の適宜の位置に取り付けられ且つ前記ドア本体の閉扉時に前記ドア下枠と接触する回転部材を更に備えることを特徴とする。
【００１０】
請求項４の発明は、前記下枠が、前記開扉方向において水平方向下向きに傾斜する面を備えることを特徴とする。
請求項５の発明は、
内面と外面と上壁とを備え、ドア枠に回動可能に取り付けられ得るドア本体であって、
前記上壁を、開扉方向において水平方向上向きに前記内面から前記外面まで直線的に傾斜する平面としたことを特徴とするドア本体、
を提供する。
【００１１】
請求項６の発明は、前記上壁と対向する下壁の適宜の位置に、前記ドア枠の下枠と接触する回転部材を備えることを特徴とする。
請求項７の発明は、
ドア本体が回動可能に取り付けられ得るドア枠であって、
上枠と下枠とを備え、
前記上枠が、前記ドア本体の開扉方向において水平方向上向きに傾斜する傾斜面を有する
ことを特徴とするドア枠、
を提供する。
【００１２】
請求項８の発明は、
ドア本体が回動可能に取り付けられ得るドア枠の上枠に取り付けられる上枠用取り付け部材であって、
前記上枠に固着される第１の取り付け片及び第２の取り付け片と、これら取り付け片の間を連結する中間片とを備え、
前記中間片が、前記上枠に固着されたときに前記ドア本体の開扉方向において水平方向上向きの傾斜面を有する
ことを特徴とする上枠用取り付け部材、
を提供する。
【００１３】
請求項９の発明は、
ドア枠に回動可能に取り付けられ得るドア本体に取り付けられるドア用取り付け部材であって、
前記ドア本体に固着される第１の取り付け片及び第２の取り付け片と、これら取り付け片の間を連結する中間片とを備え、
前記中間片が、前記ドア本体に固着されたときに前記ドア本体の開扉方向において水平方向上向きの傾斜面を有する
ことを特徴とするドア用取り付け部材、
を提供する。
【００１４】
請求項１０の発明は、請求項８の発明に係る上枠用取り付け部材と請求項９の発明に係るドア用取り付け部材とを備えることを特徴とするドア構造改造部材セットを提供する。
請求項１１の発明は、ドア構造改造部材セットが、更に、ドア下枠に載置される傾斜部材を備えることを特徴とする。
【００１５】
請求項１２の発明は、
ドア枠と、該ドア枠に回動可能に取り付けられたドア本体とを有するドア構造体を、前記ドア枠の歪みによって前記ドア本体に開扉方向の力を作用させる構造に改造する方法であって、
請求項８に記載の上枠用取り付け部材を前記ドア枠の上枠に取り付ける工程と、
前記ドア本体の上端部を、水平方向に対して傾斜する面を形成するように加工する工程と、
請求項９に記載のドア用取り付け部材を前記ドア本体の上端部に取り付ける工程と、
を備えることを特徴とする改造方法、
を提供する。
【発明を実施するための最良の形態】
【００１６】
以下、図面を参照しながら、本発明に係るドア構造体及びドア改造部材に関する実施の形態を詳細に説明する。なお、全図を通じて、同一の又は同等の構成要素には同一の参照数を付すこととする。
【００１７】
まず、図１〜図６により、本発明に係るドア構造体の実施の形態について詳述する。図１〜図４において、ドア本体１は建造物のドア枠１０に蝶番２０を介して開閉自在に軸支されており、ドア本体１とドア枠１０とによりドア構造体が形成される。なお、ドア本体１はノブ２を回すことによって室外方向に、すなわち、Ｘで示す開扉方向に開くことができる。
【００１８】
図２は、図１に示すドア構造体の線Ａ−Ａに沿う断面におけるドア構造体の上側部分を示している。図２に示すように、ドア本体１とドア枠１０のドア上枠１１との対向する部分には、互いにほぼ平行な傾斜面が形成される。すなわち、ドア本体１の内面４よりも外面５の方が垂直方向において高くなるよう、ドア本体１の上壁３は、水平方向上向きに所定の角度αをなして内面４と外面５とを連結する傾斜した平面をなすように形成される。これに対応して、ドア本体１の上壁３に対向するドア上枠１１は、ドア本体１を閉めたときにドア本体１の傾斜した上壁３と実質的に平行となる傾斜面１２を有する形状に構成される。
【００１９】
図３は、図１に示すドア構造体の線Ａ−Ａに沿う断面図におけるドア構造体の下側部分を示している。通常、建造物のドア下枠１３には、室内側から室外側へ向かって低くなる傾斜面１４が予め設けられている。そこで、図３に示すように、ドア本体１の下壁６に、ドア本体１の開扉を容易にするために傾斜面１４上を転がる回転自在な回転部材、例えばローラ３０を取付ける。なお、図４に示すように、ローラ３０は、ドア本体１の蝶番２０のある側辺よりもノブ２の設けられた側辺に近い位置に取り付けられるのがよい。しかし、これに限定されるものではなく、例えばドア本体１の下側辺５に沿って適宜の２個所にローラ３０を設けるようにしてもよい。
【００２０】
本発明に係るドア構造体は上記のように構成されているので、地震によってドア枠１０に歪みが生じたときに、ドア枠１０に形成した傾斜面１２はドア上壁３に対してドア本体１を開く方向に押す力を作用させる。つまり、ドア本体１に開扉方向Ｘの力を印加する。しかも、ローラ３０が室外に向かって低くなる傾斜面１４に載っているので、ノブ２を手で又は補助具を用いて回すことによりドア本体１を開くことができ、これによって、大地震発生時に住人が室内に閉じ込められるのが防止される。
【００２１】
なお、ドア本体１の下壁６に取り付ける回転部材としては、ローラ３０に代えて、図５及び図６に示すように、任意の方向に回転可能なボールキャスタ３１を用いても、ローラ３０と同様の又はそれ以上の効果が得られる。なお、ローラ３０やボールキャスタ３１は例であり、傾斜面１４上を転がることができる任意の回転部材を用いることができる。
【００２２】
以上、図１〜図６を用いて説明したドア構造体を新築の建造物に設置することは容易である。しかし、既存の建造物を、本発明に係るドア構造体を備えるように改造するには、ドア上枠に傾斜面を設けるとともに、既存のドア本体の上壁をテーパ面に加工する、又はテーパ面の付いたドア本体と取り替えることが必要となる。したがって、工期やコストに鑑みて、本発明を既存の建造物に適用することは実際には困難である。
【００２３】
そこで、本発明は、既存の建造物におけるドア構造体に容易に適用することができ、地震発生時に室内からの脱出を容易にするためのドア改造部材セットを提案する。このドア改造部材セットは上枠用取り付け部材とドア用取り付け部材とを備え、必要に応じて傾斜部材を含む。以下、既存のドア構造体に適用可能な本発明に係るドア改造部材セットについて説明する。
【００２４】
図７は、既存の建造物に設置されている一般的なドア構造体を示す正面図であり、図１に示す要素と同じ構成要素には同一の参照数字が付されている。そこで、この既存のドア構造体を改造して地震発生時の住人閉じ込めを防止するために、図８（Ａ）に示す上枠用取り付け部材４０と図８の（Ｂ）に示すドア用取り付け部材５０とを設置する。これらの部材に加えて、図１２に示す傾斜部材９０をも設置すると、ドア本体の開扉が極めて容易になることが分かっている。
【００２５】
図８の（Ａ）に示す上枠用取り付け部材４０は、図９の（Ｃ）に示すように、既存のドア枠１０のドア上枠１１を挟むように固定される第１の取り付け片４１及び第２の取り付け片４２を備え、これら第１の取り付け片４１と第２の取り付け片４２とは中間片４３によって連結される。中間片４３は、第２の取り付け片４２に連結された平らな第１の平面４４と、この第１の平面４４に対して所定の角度βをなす第２の平面４５とを有する。そこで、上枠用取り付け部材４０の第１の取り付け片４１及び第２の取り付け片４２を、図９の（Ｃ）に示すように、ドア上枠１１を挟むようにドア枠１１にネジ６１、６２などの固着手段によって固定する。これにより上枠１１に、図２の傾斜面１２と同等の作用を奏する第２の平面４５が設けられる。
【００２６】
一方、図８の（Ｂ）に示すドア用取り付け部材５０は、図９の（Ｂ）に示すように、ドア本体１の上端部を挟むようにドア本体１の前後の面にリベットなどの適宜の固着手段によって固定される第１の取り付け片５１及び第２の取り付け片５２を備え、これら第１の取り付け片５１と第２の取り付け片５２との間は、水平方向に対して角度βをなす平面として形成された中間片５３によって連結される。そこで、図９の（Ａ）に示すようにドア本体１の上端部を斜めに切り落としておき、ドア用取り付け部材５０を図９の（Ｂ）に示すようにドア本体１の上端部に取り付けると、図２の上壁３に相当する傾斜面がドア本体１の上端部に設けられることになる。
【００２７】
図１０の（Ａ）は、ドア上枠１１に上枠用取り付け部材４０をネジ６１、６２によって固定し、ドア本体１の上端部にドア用取り付け部材５０をリベット７１、７２によって固定したときの、ドア本体１を閉めた状態における部材４０、５０の相互位置関係を示している。一方、ドア本体１の下端部には、ローラ３０又はボールキャスタ３１を取り付ける。これにより、既存のドア構造体を、図１〜図６を用いて説明したドア構造体と同等の効果を奏する構造に改造することができる。
【００２８】
なお、防犯のために、ドア用取り付け部材５０の中間片５３の一端に、ドア本体１を閉じたときに部材４０と部材５０との間の隙間を覆いかくすための突出片５４を設けることが望ましい。図１１は、ドア用取り付け部材５０が固定されたドア本体１を閉めたときの正面図である。
【００２９】
図１０の（Ａ）に示すように、ドア上枠１１に上枠用取り付け部材４０を取り付け、ドア本体１の上端部にドア用取り付け部材５０を取り付けた場合、突出片５４を設けたとしても、これら取り付け部材４０、５０の間に僅かでも隙間ができると、その隙間を通って雨水や湿気が外部から室内へ入ってくる可能性がある。これを防止するためにシール手段を講じることが望ましい。図１０の（Ｂ）はこうしたシール手段８０の一例を示している。シール手段８０はシール用の弾性ゴム８１と受け部材８２とを備え、受け部材８２は、受け部材８２と平面４４との間に弾性ゴム８１が配置されるように、中間片４３の第１の平面４４に固定される。これにより、ドア本体１の閉扉時に、弾性ゴム８１が受け部材８２と取り付け片５２と平面４４との間に挟まれて上枠用取り付け部材４０とドア用取り付け部材５０との間の隙間をシールする。
【００３０】
なお、弾性ゴム８１の代わりに任意のシール部材を用いることができる。また、図１０の（Ｂ）には略Ｌ字状の受け部材８２が示されているが、弾性ゴムなどのシール部材を配置することができる任意の形状のものが使用可能である。
【００３１】
更に、既存の建造物においては、ドア下枠１３が水平又は水平に近い場合がある。このような場合には、地震発生時にドア本体１の開扉を容易にするために、上枠用取り付け部材４０及びドア用取り付け部材５０を取り付け、さらに、水平なドア下枠１３とローラ３０やボールキャスタ３１等の回転部材との間に、回転部材が転がってドア本体１を開扉方向へ導くための傾斜面を有する傾斜部材９０を設置することが望ましい。
【００３２】
図１２の（Ａ）及び（Ｂ）はこうした傾斜部材９０の一例を示している。傾斜部材９０は、適宜の幅Ｄと長さＬを有する平坦面９１と、平坦面９１の一端に固定された脚９２とを備えている。平坦面９１はボールキャスタ３１などの回転部材が取り付けられたドア本体１を開扉方向へ移動させるのを助けることができればよいので、その幅Ｄはドア本体１の幅よりも小さくてよい。また、平坦面９１の長さＬは、下枠１３から傾斜部材９０がはみ出さない程度であることが好ましい。脚９２の長さは、平坦面９１が下枠１３に対して所望の斜度が得られるよう任意に設定することができる。
【００３３】
以上、本発明に係るドア構造体及びドア改造部材の実施の形態について詳述したが、本発明はこうした実施の形態に限定されるものではない。例えば、本発明は高層住宅の入口のドア構造体以外にも種々の建造物のドア構造体に適用可能であり、例えば、建造物内の部屋のドア構造体にも適用することができる。また、ドア構造体は外開きのドア構造だけでなく内開きのドア構造にも適用できる。
【００３４】
なお、ドア構造体に錠が設けられていて、その施錠時に地震が発生ししてドア枠が歪んだとしても、ドア枠の歪みによってドア本体には開扉方向の力が作用しているので、手で又は補助具を用いて解錠することにより、ドア本体を開けることができる。
〔発明の効果〕
【００３５】
本発明は、ドア本体の上壁を傾斜面とするとともに、該傾斜面に対応する傾斜面をドア上枠にも設け、更に、ドア本体の下部の適所に回転部材を設けるようにしたものである。したがって、ドア枠が大きな圧力やエネルギによって歪んだとき、ドア上枠の傾斜面がドア本体の傾斜した上壁を開扉方向に押すので、ドア本体の下部に設けられた回転部材による開扉補助作用と相まって、住人はノブを回すことによってドア本体を開けることができ、地震が発生した際に室内に閉じこめられるのを防止することができる。
【００３６】
しかも、ドア本体の上壁は、開扉方向においてドア本体の内面から外面まで直線的に傾斜する形状とされ、それに対応して、ドア上枠にもドア本体の上壁と一様に接する面が設けられているので、ドア枠が歪んだときにも、その歪みがドア本体の上壁を開扉方向に押すよう力を加えるので、ドア本体の開扉が容易であり、ドア本体がドア枠に挟み込まれてしまってドア本体が開かなくなるという危険は解消される。
【００３７】
また、本発明に係るドア改造部材は、ドア枠やドア本体の構成に合わせて、簡単な構成で低コストに製造することができ、既存の建造物のドア本体及びドア枠に簡単に取り付けることができるので、既存のドア構造体を、地震に際しても住人が室内から脱出することのできる構造に低コストで簡単に改修することができるという効果を奏する。
【図面の簡単な説明】
【００３８】
【図１】本発明に係るドア構造体の一つの実施の形態の正面図である。
【図２】図１の線Ａ−Ａに沿う断面における上側部分の主要な構成要素の断面図である。
【図３】図１の線Ａ−Ａに沿う断面における下側部分の主要な構成要素の断面図である。
【図４】図３に示す下側部分の主要な構成要素の正面図である。
【図５】図３に示す下側部分の主要な構成要素の他の構成例を示す断面図である。
【図６】図５に示す他の構成例の正面図である。
【図７】既存のドア構造体の一例の正面図である。
【図８】（Ａ）は本発明に係る上枠用取り付け部材の断面図であり、（Ｂ）は本発明に係るドア用取り付け部材の断面図である。
【図９】（Ａ）は、既存のドア本体の上端部を加工した状態を示す断面図であり、（Ｂ）は、図８の（Ｂ）に示すドア用取り付け部材を加工済みの既存のドア本体に取り付けた状態を示す断面図であり、（Ｃ）は、図８の（Ａ）に示す上枠用取り付け部材をドア上枠に取り付けた状態を示す断面図である。
【図１０】（Ａ）は、上枠用取り付け部材とドア用取り付け部材とを既存のドア構造体に取り付けた状態を示す断面図であり、（Ｂ）は、上枠用取り付け部材にシール手段を設けた場合の断面図である。
【図１１】上枠用取り付け部材とドア用取り付け部材とを既存のドア構造体に取り付けた状態を示す正面図である。
【図１２】（Ａ）は、水平な下枠に傾斜部材を載置したときの断面図であり、（Ｂ）は傾斜部材の斜視図である。
【符号の説明】
【００３９】
Ｄ：ドア構造体、  １：ドア本体、  ２：ノブ、  ３：ドアの上壁、  ４：内面、  ５：外面、  ６：ドアの下壁、  １０：ドア枠、  １１：ドア上枠、  １２：傾斜面、１３：ドア下枠、１４：傾斜面、  ２０：蝶番、３０：ローラ、  ３１：ボールキャスタ、Ｘ：開扉方向、  ４０：上枠用取り付け部材、  ５０：ドア用取り付け部材、  ８０：シール手段、  ９０：傾斜部材
【図１】
2006152793.tif 000003
【図２】
2006152793.tif 000004
【図３】
2006152793.tif 000005
【図４】
2006152793.tif 000006
【図５】
2006152793.tif 000007
【図６】
2006152793.tif 000008
【図７】
2006152793.tif 000009
【図８】
2006152793.tif 000010
【図９】
2006152793.tif 000011
【図１０】
2006152793.tif 000012
【図１１】
2006152793.tif 000013
【図１２】
2006152793.tif 000014